(57)【要約】【課題】カップ状容器内の飲料を飲みやすくする。【解決手段】カップ状容器本体（１）と、カップ状容器本体の口縁のフランジ（２）とが合成樹脂により一体成形されてなるカップ状容器において、フランジの外周面（２ａ）よりも高さ方向で幅広であり、この外周面と略面一であるか又はやや内周側に偏倚した外周面（４ａ）を有するリング状部材（４）が、カップ状容器本体の胴部（５）とフランジとの間の隅部に所定の固定手段によって取り付けられている。【選択図】図２
2013091516.tif 000002
【特許請求の範囲】
【請求項１】
カップ状容器本体と、カップ状容器本体の口縁のフランジとが合成樹脂により一体成形されてなるカップ状容器において、前記フランジの周面よりも高さ方向で幅広であり、かつ、前記周面と略面一であるか又は前記周面よりもやや内周側に偏倚した周面を有するリング状部材が、前記カップ状容器本体の胴部と前記フランジとの間の隅部に所定の固定手段によって取り付けられていることを特徴とするカップ状容器。
【請求項２】
請求項１に記載のカップ状容器において、前記カップ状容器本体には飲料が充填され、前記フランジにはシール蓋が接着されたことを特徴とするカップ状容器。
【請求項３】
請求項１又は請求項２に記載のカップ状容器において、前記固定手段が、超音波溶着によって前記リング状部材と前記フランジとの間に形成された溶着部であることを特徴とするカップ状容器。
【請求項４】
請求項１又は請求項２に記載のカップ状容器において、前記固定手段が、前記胴部と前記リング状部材との間に設けられた嵌合部であることを特徴とするカップ状容器。
【請求項５】
請求項１又は請求項２に記載のカップ状容器において、前記固定手段が、前記胴部と前記リング状部材との間に形成された前記フランジの軸芯を中心に旋回する螺旋を有した雌雄ネジであることを特徴とするカップ状容器。
【請求項６】
請求項１又は請求項２に記載のカップ状容器において、前記固定手段が、前記胴部と前記リング状部材との間に形成された接着剤層であることを特徴とするカップ状容器。
【請求項７】
請求項１乃至請求項６のいずれかに記載のカップ状容器において、前記リング状部材が弾性体により形成され、このリング状部材がその弾性変形によって前記胴部に固定されたことを特徴とするカップ状容器。
【請求項８】
請求項１乃至請求項７のいずれかに記載のカップ状容器において、前記リング状部材の周方向における所定の周面部分のみが、他の部分よりも高さ方向で幅広に形成されたことを特徴とするカップ状容器。
【発明の詳細な説明】
【技術分野】
【０００１】
本発明は、飲料を飲みやすくすることができるカップ状容器に関する。
【背景技術】
【０００２】
カップ状容器本体に飲料を充填した後、カップ状容器本体の口縁のフランジにシール蓋を接着することによって容器内部を密封した飲料詰めカップ状容器が市販されている。この飲料詰めカップ状容器を購入した者は、中味の飲料が常温であるか又は冷たい場合はストローをシール蓋に突き刺すことで容易に飲料を飲むことができる。しかし、中味の飲料が熱い場合はストローで飲むことができないので、シール蓋を剥がし、フランジに唇を直に接触させて中味を飲まざるをえない。ところが、フランジは容器の口縁に突起物となって存在し、また、フランジ面はシール蓋を接着するための接着剤が残留する等して粗面化しているので、中味を飲もうとする者が唇を付けたときに違和感を覚える。
【０００３】
このような、問題点を解消するものとして、開封部材を有するオーバーキャップが提案されている（例えば、特許文献１，２参照）。このオーバーキャップは、切刃を有した開封部材をオーバーキャップと一体的に形成し、開封部材とオーバーキャップとの間にヒンジを設けてなるものである。オーバーキャップは予めシール蓋の上からカップ状容器本体に被せ、オーバーキャップ下端部をカップ状容器本体のフランジと嵌合させておき、飲料を飲む際は、ヒンジを支点にして開封部材を指で押し下げ、開封部材の切刃でシール蓋を破ることができる。そして、唇をフランジに直に当てることなく、開封部材とオーバーキャップとの間の隙間に当てることにより、違和感なく中味の飲料を飲むことができる。
【先行技術文献】
【特許文献】
【０００４】
【特許文献１】特開２００５−２２７５７号公報
【特許文献２】特開２００６−６９６４２号公報
【発明の概要】
【発明が解決しようとする課題】
【０００５】
従来の開封部材付きオーバーキャップを使用して飲料を飲む場合は、開封部材の切刃が中味の飲料に接触するという問題があり、また、飲料がシール蓋の上にこぼれ出てこれがオーバーキャップとカップ状容器本体のフランジとの繋ぎ目から漏れ出るという問題がある。さらに、シール蓋には切り込みが入れられるだけで開封が不完全であることから、飲料が容器本体から出難いという問題がある。
【０００６】
従って、本発明は、前記問題点を解決することができるカップ状容器を提供することを目的とする。
【課題を解決するための手段】
【０００７】
前記課題を解決するため、本発明は次のような構成を採用する。
【０００８】
なお、本発明の理解を容易にするため図面の参照符号を括弧書きで付するが、本発明はこれに限定されるものではない。
【０００９】
請求項１に係る発明は、カップ状容器本体（１）と、カップ状容器本体（１）の口縁のフランジ（２）とが合成樹脂により一体成形されてなるカップ状容器において、前記フランジ（２）の外周面（２ａ）よりも高さ方向で幅広であり、かつ、前記外周面（２ａ）と略面一であるか又は前記外周面（２ａ）よりもやや内周側に偏倚した外周面（４ａ）を有するリング状部材（４）が、前記カップ状容器本体（１）の胴部（５）と前記フランジ（２）との間の隅部に所定の固定手段によって取り付けられているカップ状容器の構成を採用する。
【００１０】
請求項２に記載されるように、請求項１に記載のカップ状容器において、前記カップ状容器本体（１）には飲料（Ａ）が充填され、前記フランジ（２）にはシール蓋（３）が接着されたものとすることができる。
【００１１】
フランジ（２）の平坦な上面は開放状態にあり、その回りを取り囲むものは何ら存在しないので、シール蓋（３）はフランジ（２）に簡易かつ正確に接着されることとなり、従ってカップ状容器の密封性を適正に維持することができ、また、開封時にはシール蓋（３）を簡易にフランジ（２）から引き剥がすことが可能である。
【００１２】
請求項３に記載されるように、請求項１又は請求項２に記載のカップ状容器において、前記固定手段が、超音波溶着によって前記リング状部材（４）と前記フランジ（２）との間に形成された溶着部であるものとすることができる。
【００１３】
固定手段が超音波溶着であることから、リング状部材（４）とカップ状容器本体（１）との接合力が高められ、かつ、水密性が高められる。
【００１４】
請求項４に記載されるように、請求項１又は請求項２に記載のカップ状容器において、前記固定手段が、前記胴部（５）と前記リング状部材（４）との間に設けられた嵌合部（１０，１１，１７）であるものとすることができる。
【００１５】
固定手段が嵌合部（１０，１１，１７）であることから、飲み口部材（４）はカップ状容器本体（１）にワンタッチで速やかに接合される。
【００１６】
請求項５に記載されるように、請求項１又は請求項２に記載のカップ状容器において、前記固定手段が、前記胴部（５）と前記リング状部材（４）との間に形成された前記フランジ（２）の軸芯を中心に旋回する螺旋を有した雌雄ネジ（９ａ，９ｂ）であるものとすることができる。
【００１７】
固定手段がネジであることから、リング状部材（４）とカップ状容器本体（１）との接合力を適度に加減することが可能である。
【００１８】
請求項６に記載されるように、請求項１又は請求項２に記載のカップ状容器において、前記固定手段が、前記胴部（５）と前記リング状部材（４）との間に形成された接着剤層（１５）であるものとすることができる。
【００１９】
固定手段が接着剤層（１５）であることから、リング状部材（４）をカップ状容器本体（１）に簡易に取り付けることができる。
【００２０】
請求項７に記載されるように、請求項１乃至請求項６のいずれかに記載のカップ状容器において、前記リング状部材（４）が弾性体により形成され、このリング状部材（４）がその弾性変形によって前記胴部（５）に固定されるものとすることができる。
【００２１】
この場合は、前記固定手段と併用することで、より緊密にリング状部材（４）をカップ状容器本体（１）に固定することができる。
【００２２】
請求項８に記載されるように、請求項１乃至請求項７のいずれかに記載のカップ状容器において、前記リング状部材（４）の周方向における所定の外周面部分（１６）のみが、他の部分よりも高さ方向で幅広に形成されたものとすることができる。
【００２３】
この場合は、幅広の外周面部分（１６）に唇を当てることで、飲料（Ａ）をさらに飲みやすくすることができる。
【発明の効果】
【００２４】
本発明によれば、カップ状容器本体（１）内の飲料（Ａ）を飲む際に、唇がフランジ（２）の外周面（２ａ）と、この外周面（２ａ）と略面一であるか又はこの外周面（２ａ）よりもやや内周側に偏倚したリング状部材（４）の外周面（４ａ）に当たることになるので、唇がフランジ（２）の外周面（２ａ）にのみ当たることによる違和感、不快感を覚えることなく飲料（Ａ）を飲むことができる。
【００２５】
また、飲料（Ａ）が熱い場合であっても、リング状部材（４）の断熱作用によって、リング状部材（４）の外周面（４ａ）に指を当てることでカップ状容器本体（１）を適正に保持することができ、従って、円滑に飲料（Ａ）を喫することができる。
【図面の簡単な説明】
【００２６】
【図１】本発明に係る飲料詰めカップ状容器の斜視図である。
【図２】飲料詰めカップ状容器の半断面図である。
【図３】空状態のカップ状容器の斜視図である。
【図４】リング状部材の固定手段を示す部分切欠断面図である。
【図５】他の固定手段を示す部分切欠縦断面図である。
【図６】他の固定手段を示す部分切欠縦断面図である。
【図７】他の固定手段を示す部分切欠縦断面図である。
【図８】他の固定手段を示す部分切欠縦断面図である。
【図９】他の固定手段を示す部分切欠縦断面図である。
【図１０】（Ａ）はリング状部材をフランジに超音波溶接中であることを示す部分切欠縦断面図、（Ｂ）超音波溶接後の部分切欠縦断面図である。
【図１１】（Ａ）は他のリング状部材をフランジに超音波溶接中であることを示す部分切欠縦断面図、（Ｂ）超音波溶接後の部分切欠縦断面図である。
【図１２】他の実施の形態に係るカップ状容器の斜視図である。
【発明を実施するための形態】
【００２７】
以下、図面を参照して本発明の実施の形態について説明する。
【００２８】
＜実施の形態１＞
図１及び図２に示すように、この飲料詰めカップ状容器は、飲料Ａが充填されたカップ状容器本体１と、カップ状容器本体１の口縁のフランジ２に接着されたシール蓋３と、フランジ２下に設置されたリング状部材４とを具備する。
【００２９】
カップ状容器本体１は、図２及び図３に示すように、筒状の胴部５と、胴部５の底を閉じる底部６と、胴部５の口縁に形成されたフランジ２とを具備する。胴部５には、望ましくは底部６側からフランジ２側へと向かうにつれて径が大きくなるようにテーパが付けられている。フランジ２は、胴部５の口縁から半径方向外側へと突出する平らなリングとして形成される。このカップ状容器本体１は、望ましくは溶融合成樹脂のインジェクション成形によって一体成形される。もちろん、必要に応じて合成樹脂シートを加熱し、真空成形、圧空成形、プレス成形等するシート成形によって得ることも可能である。
【００３０】
シール蓋３は、カップ状容器本体１のフランジ２の外径よりやや大きい外径を有した円形シートとして構成される。シール蓋３は前記フランジ２に接着され、それよりも外周の部分はフランジ２に接着されることなくフランジ２の外周からはみ出す。シール蓋３の外周には、その一箇所から突出する摘み片３ａが一体的に設けられる。
【００３１】
このシール蓋３は、例えば、基材層／バリア層／イージーピール層の層構造を有する積層体として構成される。基材層は、シール蓋３に密封性、腰の強さ等を与えるためのもので、例えばＰＥＴやポリアミド系樹脂フィルムにより形成される。基材層の内面には所望事項が印刷により表示される。バリア層はシール蓋３にガスバリア性を付与するものであり、アルミ箔や蒸着ＰＥＴ、ＥＶＯＨ（エチレン−ビニルアルコール共重合樹脂）などのフィルムにより形成される。イージーピール層は、シール蓋３をカップ状容器に熱接着するとともに、飲用時に容器からシール蓋３を容易に剥がすためのものであり、イージーピール剤をコーティングやＥＣ（エクストルージョン・コータ）によって積層してもよいし、イージーピールフィルムを、ドライラミネート等によって接着して積層してもよい。
【００３２】
シール蓋３は、前記層構造を有する素材シートから、前記摘み片３ａを有する円板としてあらかじめ打ち抜かれる。
【００３３】
シール蓋３は、そのヒートシール剤層が前記フランジ２に接するように、飲料Ａが充填された後のカップ状容器本体１の口縁に被せられたうえで、例えば加熱盤によるプレスや超音波溶着によって、フランジ２に接着される。
【００３４】
なお、シール蓋３の積層体シートをロール状態で供給し、飲料Ａを充填し、積層体シートをカップ状容器本体１にヒートシールした後、図示しない抜き刃にてシール蓋３の形状に打ち抜くことも可能である。
【００３５】
リング状部材４は、図４に示すように、前記フランジ２の外周面２ａよりも高さ方向で幅広であり、かつ、フランジ２の外周面２ａと略面一である外周面４ａを有する。このリング状部材４が、前記カップ状容器本体１の胴部５と前記フランジ２との間の隅部に所定の固定手段によって取り付けられる。隅部とは、胴部５とフランジ２とが交差する箇所であって、胴部５の外面とフランジ２の下面に対応する箇所をいう。
【００３６】
図示例では、リング状部材４の外周面４ａは下方に向かって縮径するテーパ面とされているので、フランジ２の外周面２ａに対しリング状部材４の外周面４ａはやや屈曲して連なるので、両外周面２ａ，４ａは略面一となっているが、リング状部材４の外周面４ａをテーパの無いストレート面とすることで、両外周面２ａ，４ａを完全に面一化することも可能である。
【００３７】
リング状部材４は、図４に示すごとく縦断面が略四角形を呈するように、カップ状容器本体１と同様に溶融合成樹脂を用いたインジェクション成形によって一体形成され、上端面４ｂはフランジ２の下面２ｂに密着可能な平坦面に形成される。また、内周面４ｃはカップ状容器本体１の胴部５の外周面に密着可能なテーパ面に形成される。下端面４ｄは上端面４ｂに平行な平坦面とされるが、テーパ面等他の形態の面としてもよい。
【００３８】
リング状部材４は、嵌合部からなる固定手段によって、カップ状容器本体１の胴部５とフランジ２との間の隅部に固定される。
【００３９】
嵌合部は、カップ状容器本体１の胴部５の外周面におけるフランジ２の近傍に形成された環状突起１０と、リング状部材４の内周面４ｃに形成された環状凹溝１１とで構成される。
【００４０】
リング状部材４がカップ状容器本体１にその底側から被せられ、リング状部材４がカップ状容器本体１の胴部５の外周面に沿って上方向にスライドさせられると、リング状部材４の上部が環状突起１０を乗り越え、リング状部材４の環状凹溝１１内に環状突起１０が嵌り込む。
【００４１】
これにより、リング状部材４がカップ状容器本体１のフランジ２と胴部５との隅部に固定される。このようにリング状部材４が固定される結果、フランジ２の外周面２ａとリング状部材４の外周面４ａは略面一化し、両外周面２ａ，４ａにこのカップ状容器の使用者が指や唇を当てても違和感を持たない。また、リング状部材４の上端面４ｂはフランジ２の下面に水密的に密着する結果、両者間への飲料Ａの侵入が防止される。さらに、中味の飲料Ａが熱いものであったとしても、リング状部材４の断熱作用により、使用者はリング状部材４を介してカップ状容器を指先で適正に保持することができる。
【００４２】
なお、環状凹溝１１と環状突起１０は、カップ状容器本体１の胴部５の外周面とリング状部材４の内周面４ｃとの間で入れ替えることも可能である。
【００４３】
次に、前記構成のカップ状容器の作用について説明する。
【００４４】
（１）カップ状容器本体１及びリング状部材４がインジェクション成形等望ましい製法によって製造され用意される。また、シール蓋３が例えば打ち抜かれた状態で用意される。
【００４５】
（２）カップ状容器本体１に飲料Ａが充填される。飲料Ａは例えばコーヒーである。飲料Ａは無菌充填方法にて常温で充填される。
【００４６】
（３）前記充填工程を経た後、カップ状容器本体１がシール蓋３で密封される。具体的には、カップ状容器本体１の口縁のフランジ２にシール蓋３が被せられ、熱プレス、超音波溶着等によって、シール蓋３のヒートシール剤層が溶かされ、これによりシール蓋３がフランジ２の平坦な上面に接着される。また、シール蓋３のフランジ２への接着と同時に、摘み片３ａがシール蓋３の半径方向外側へと突出する。
【００４７】
（４）リング状部材４がカップ状容器本体１にその底側から被せられ、リング状部材４がカップ状容器本体１の胴部の外周面に沿って上方向にスライドさせられ、フランジ２側へと押し込まれる。押し込みが完了する際に、リング状部材４の上部が環状突起１０を乗り越え、リング状部材４の環状凹溝１１内に環状突起１０が嵌り込む。これにより、リング状部材４がカップ状容器本体１のフランジ２と胴部５との隅部に固定される。
【００４８】
（５）かくて、飲料詰めカップ状容器が完成し、必要に応じて飲み口部材４の上から図示しない保護キャップ等が被せられた後、市場へと搬出される。
【００４９】
（６）飲料詰めカップ状容器の購入者が中味の飲料Ａを温めて飲もうとする場合は、例えば飲料詰めカップ状容器が電子レンジに入れられることで中味の飲料Ａが加熱される。
【００５０】
電子レンジに入れる前にあらかじめシール蓋３の摘み片３ａが購入者によって摘まれて引っ張られ、シール蓋３がカップ状容器本体１のフランジ２から剥がし取られる。
【００５１】
なお、このシール蓋３の剥がし取りは、飲料詰めカップ状容器がホットウォーマー等に入れられることによって、あらかじめ加温される場合は不要である。
【００５２】
（７）リング状部材４は断熱作用も果たすので、購入者は熱さを感じることなくリング状部材４を指で持ってカップ状容器本体１を保持することができる。
【００５３】
また、購入者が飲料Ａを喫する際にフランジ２及びリング状部材４の外周面２ａ，４ａに唇を付けても、両外周面２ａ，４ａは略面一化していることから、違和感を覚えることがない。
【００５４】
さらに、リング状部材４の上端面４ａはフランジ２の下面２ｂに水密的に密着しているので、両者４ａ，２ｂ間への飲料Ａの侵入が防止される。従って、飲料Ａがカップ状容器本体１の胴部５の外壁面を伝って垂れ落ちることもない。
【００５５】
＜実施の形態２＞
図５に示すように、実施の形態２では、リング状部材４の外周面４ａがカップ状容器本体１のフランジ２の外周面２ａよりもやや内周側に偏倚している。
【００５６】
また、フランジ２の外周面２ａは面取りされ、その結果フランジ２の外周面２ａは凸状の湾曲面を呈している。
【００５７】
この場合も、中味の飲料Ａを飲もうとする者が指や唇を前記外周面２ａ，４ａに当てても、違和感等を覚えることはない。
【００５８】
＜実施の形態３＞
図６に示すように、実施の形態３では、リング状部材４の外周面４ａと上端面４ｂに対応する部分が板状に形成される。そして、リング状部材４の外周面４ａに対応する外周壁と上端面４ｂに対応する上端壁との間に、外周壁の上下方向に伸びるリブ１２が形成される。
【００５９】
また、カップ状容器本体１の胴部５側には実施の形態１と同様に半径方向外向きに環状突起１０が設けられる。前記上端面４ｂに対応する上端壁には、前記環状突起１０に対応して半径方向内向きに他の環状突起１７が設けられる。
【００６０】
これらの環状突起１０、１７で嵌合部が構成され、両環状突起１０、１７が嵌合することで、リング状部材４が胴部５とフランジ２との間の隅部に固定される。
【００６１】
この場合は、前記リブ１２により胴部５とリング状部材４との間に厚い空気層が形成されるので、断熱効果が高まる。
【００６２】
＜実施の形態４＞
図７に示すように、実施の形態４では、フランジ２の下面における胴部５寄りの箇所に環状凹部１３が形成され、この環状凹部１３に対応してリング状部材４の上端面４ｂには環状凸部１４が形成される。
【００６３】
リング状部材４をカップ状容器本体１側に固定するに際し、環状突起１０が環状凹溝１１内に嵌り込むと同時に、環状凹部１３内に環状凸部１４が嵌り込む。これにより、フランジ２の下面２ｂとリング状部材４の上端面４ｂとの結合力が高められ、あるいは両者間にラビリンスパッキンのごとき作用が付与され、従って、フランジ２の下面２ｂとリング状部材４の上端面４ｂとの間の水密性が高められる。
【００６４】
＜実施の形態５＞
図８に示すように、実施の形態５では、実施の形態１における図４に示した環状突起１０及び環状凹溝１１からなる嵌合部に代えて、固定手段としてカップ状容器本体１の胴部５の外周面とリング状部材４の内周面４ｃとの間に設けられる接着剤層１５が採用される。
【００６５】
接着剤層１５としては、接着剤単体のみの層に限らず、ウレタン等のクッション材からなるテープに接着剤を塗布してなるもの、両面テープ、ホットメルト等を採用することもできる。
【００６６】
なお、接着剤層１５は、フランジ２の下面２ｂとリング状部材４の上端面４ｂとの間の接着に用いることも可能である。
【００６７】
また、この実施の形態５において、固定手段として前記接着剤層１５に代えリング状部材４の弾性を利用することも可能である。すなわち、リング状部材４をゴム等の弾性体により形成し、このリング状部材４をカップ状容器本体１の胴部５に取り付ける際の弾性変形によって胴部５に固定することができる。
【００６８】
また、この場合は、前記各実施の形態の固定手段と併用することで、より緊密にリング状部材４をカップ状容器本体１に固定することができる。しかも、風合いをやわらかくすることで、より唇にソフトな感触を与えることができる。
【００６９】
＜実施の形態６＞
図９に示すように、実施の形態６では、リング状部材４のカップ状容器本体１に対する固定手段が、胴部５の外周面とリング状部材４の内周面との間に形成されたフランジ２の軸芯を中心に旋回する螺旋を有した雌雄ネジ９ａ，９ｂとして構成される。
【００７０】
固定手段であるネジの締め付け具合によって、リング状部材４とカップ状容器本体１との接合力の加減が可能である。
【００７１】
＜実施の形態７＞
図１０（Ａ）（Ｂ）に示すように、実施の形態７では、リング状部材４のカップ状容器本体１に対する固定手段が、超音波溶着によってリング状部材４とフランジ２との間に形成される溶着部とされる。
【００７２】
超音波溶着方法は図１０（Ａ）に示される。同図中、符号７は超音波を出力するホーンを示し、符号８はフランジ２及びリング状部材４を受ける治具を示す。ホーン７と治具８とによってフランジ２及びリング状部材４の二者が挟まれ、ホーン７から超音波が発射されると、フランジ２の三角状突起Ｄ（ダイレクター）を基点にフランジ２とリング状部材４との間に摩擦熱が発生し、これによってこれらを構成する合成樹脂の溶着部が形成され、この溶着部によってリング状部材４がカップ状容器本体１のフランジ２に固定され一体化される。
【００７３】
なお、三角状突起Ｄはリング状部材４側に設けてもよいし、ホーン７と治具８の位置は互いに入れ替えてもよい。
【００７４】
このように、リング状部材４とフランジ２との間にこれらを構成する合成樹脂の溶着部が形成されることから、この溶着部によってリング状部材４がフランジ２に水密的に接合される。従って、リング状部材４とフランジ２との間への飲料Ａの浸み込みが防止される。
【００７５】
＜実施の形態８＞
図１１（Ａ）（Ｂ）に示すように、実施の形態８では、実施の形態４における構成と実施の形態７における構成とが併用される。
【００７６】
すなわち、フランジ２の下面２ｂにおける胴部５寄りの箇所に環状凹部１３が形成され、この環状凹部１３に対応してリング状部材４の上端面４ｂには環状凸部１４が形成される。リング状部材４をカップ状容器本体１側に固定するに際し、環状凹部１３内に環状凸部１４が嵌り込むことにより、リング状部材４とフランジ２との間の水密性が向上する。
【００７７】
また、リング状部材４とフランジ２との間に、超音波溶着による溶着部が形成される。この場合、三角状突起Ｄはフランジ２の環状凹部１３の底に形成され、実施の形態７の場合と同様にしてホーン７と治具８とによってフランジ２及びリング状部材４の二者が挟まれ、ホーン７から超音波が発射されることによって、前記溶着部が形成される。
【００７８】
＜実施の形態９＞
図１２に示すように、実施の形態９では、リング状部材４の周方向における所定の外周面部分１６のみが、他の部分よりも高さ方向で幅広に形成される。
【００７９】
この場合は、幅広の外周面部分１６に唇を当てることで、飲料Ａをさらに飲みやすくすることができる。
【００８０】
なお、本発明は前記実施の形態に限定されるものではなく、本発明の要旨の範囲内において種々変更可能である。例えば、前記実施の形態では中味を熱い飲料として説明したが、冷たい飲料についても本発明を適用可能である。
【符号の説明】
【００８１】
１…カップ状容器本体
２…フランジ
２ａ…外周面
３…シール蓋
４…リング状部材
４ａ…外周面
５…胴部
９ａ，９ｂ…雌雄ネジ
１０、１７…環状突起
１１…環状凹溝
１２…リブ
１５…接着剤層
１６…外周面部分
Ａ…飲料
【図１】
2013091516.tif 000003
【図２】
2013091516.tif 000004
【図３】
2013091516.tif 000005
【図４】
2013091516.tif 000006
【図５】
2013091516.tif 000007
【図６】
2013091516.tif 000008
【図７】
2013091516.tif 000009
【図８】
2013091516.tif 000010
【図９】
2013091516.tif 000011
【図１０】
2013091516.tif 000012
【図１１】
2013091516.tif 000013
【図１２】
2013091516.tif 000014